(57)【要約】【課題】レンズの扱いを容易にし、その鏡筒に対する調芯作業を容易にし、位置精度を高め、外径の増大を抑制することができるレンズ支持構造を得る。【解決手段】少なくとも１枚のレンズが挿入される筒状部と、該筒状部のレンズ挿入側端部とは反対側の端部に、径方向内方に突出形成された複数の周方向に離間したレンズ受け部とを有し、上記レンズを保持するレンズ枠；及び上記レンズ枠が挿入固定される鏡筒；を有し、上記レンズは、上記レンズ受け部側の端部にレンズ基準面を有すること；上記レンズ枠は、上記レンズ受け部の上記レンズ挿入側に上記レンズ基準面が当接する位置規制面を有すること；及び上記鏡筒は、隣接する上記レンズ受け部の間において、上記レンズ枠に保持されたレンズの上記レンズ基準面に当接する複数の位置基準面を有するレンズ支持構造。【選択図】図４
2017173744.tif 000002
【特許請求の範囲】
【請求項１】
少なくとも１枚のレンズが挿入される筒状部と、該筒状部のレンズ挿入側端部とは反対側の端部に、径方向内方に突出形成された複数の周方向に離間したレンズ受け部とを有し、上記レンズを保持するレンズ枠；及び
上記レンズ枠が挿入固定される鏡筒；を有し、
上記レンズは、上記レンズ受け部側の端部にレンズ基準面を有すること；
上記レンズ枠は、上記レンズ受け部の上記レンズ挿入側に上記レンズ基準面が当接する位置規制面を有すること；及び
上記鏡筒は、隣接する上記レンズ受け部の間において、上記レンズ枠に保持されたレンズの上記レンズ基準面に当接する複数の位置基準面を有すること；
を特徴とするレンズ支持構造。
【請求項２】
請求項１記載のレンズ支持構造において、上記鏡筒の複数の上記位置基準面の間には、上記レンズ枠の上記レンズ受け部を収容する凹部が形成されているレンズ支持構造。
【請求項３】
請求項１または２記載のレンズ支持構造において、上記レンズ枠は、上記筒状部に挿入された上記レンズを、上記位置規制面と上記筒状部のレンズ挿入側端部に形成された熱かしめ部との間に保持しているレンズ支持構造。
【請求項４】
請求項１ないし３のいずれか１項記載のレンズ支持構造において、上記鏡筒は、該鏡筒に挿入された上記レンズ枠に保持されたレンズの上記レンズ基準面が上記位置基準面に当接した状態で上記レンズ及びレンズ枠を光軸直交方向に移動自在に遊嵌する遊嵌筒部を有するレンズ支持構造。
【請求項５】
請求項１ないし４のいずれか１項記載のレンズ支持構造において、上記鏡筒には、該鏡筒に挿入された上記レンズ枠を保持するための調芯用凹部と、上記レンズ枠を上記鏡筒に接着するための接着剤用凹部が形成されているレンズ支持構造。
【請求項６】
請求項１ないし５のいずれか１項記載のレンズ支持構造において、上記鏡筒は、上記レンズ挿入側とは反対側から挿入された上記レンズ枠のレンズとは異なるレンズを保持する保持筒部を有するレンズ支持構造。
【請求項７】
請求項１ないし６のいずれか１項記載のレンズ支持構造において、上記レンズ枠の上記レンズ受け部は、上記少なくとも１枚のレンズの像側の面に当接するレンズ支持構造。
【請求項８】
請求項１ないし７のいずれか１項記載のレンズ支持構造において、上記少なくとも１枚のレンズは、最も物体側のレンズであるレンズ支持構造。
【発明の詳細な説明】
【技術分野】
【０００１】
本発明は、レンズ（群）を鏡筒に支持するための支持構造に関し、特にレンズ（群）の扱いを容易にし、その鏡筒に対する調芯作業を容易にし、位置精度（調整精度）を高め、外径の増大を抑制することができるレンズ支持構造に関する。
【背景技術】
【０００２】
複数のレンズ群を有するレンズ鏡筒においては、レンズ（群）のうち、特定のレンズ（群）を調芯用レンズとして、光軸直交平面内で位置決めした後固定することが行われている（特許文献１）。この調整の際、レンズに施されているコーティングを破損したりレンズ自体に傷が付いたりするのを避けるため、作業者が直接レンズ（群）に触れることを避けたい。特に大口径レンズや高級硝材のレンズではその要求が高い。
【０００３】
従来、図５（Ｂ）に示したように、最も物体側の第１レンズＬ１’は、筒状部２２’に後方から挿入され、レンズ面（前面）が筒状部２２’の前端部に形成された内方フランジ２２ｆに当接させられて位置決め支持されている（特許文献２）。この従来のレンズ支持構造では、第１レンズＬ１’の前面に入射する光線を内方フランジ２２ｆがけらないように、第１レンズＬ１’の径を大きくする必要があった。
【先行技術文献】
【特許文献】
【０００４】
【特許文献１】特開２０１２-１７３５２７号公報
【特許文献２】特開２０１０-８７４３号公報
【発明の概要】
【発明が解決しようとする課題】
【０００５】
本発明は、従来技術に対するこのような要求に応えるレンズ支持構造を提案するものである。
【課題を解決するための手段】
【０００６】
本発明は、作業者がレンズに直接触れることを避けるため、レンズをレンズ枠に支持する一方、レンズと鏡筒との位置精度を高めるため、レンズに形成した基準面と、鏡筒に形成した位置基準面とを直接接触させるという着眼に基づいてなされたものである。
【０００７】
本発明によるレンズ支持構造は、少なくとも１枚のレンズが挿入される筒状部と、該筒状部のレンズ挿入側端部とは反対側の端部に、径方向内方に突出形成された複数の周方向に離間したレンズ受け部とを有し、上記レンズを保持するレンズ枠；及び、上記レンズ枠が挿入固定される鏡筒；を有し、上記レンズは、上記レンズ受け部側の端部にレンズ基準面を有すること；上記レンズ枠は、上記レンズ受け部の上記レンズ挿入側に上記レンズ基準面が当接する位置規制面を有すること；及び、上記鏡筒は、隣接する上記レンズ受け部の間において、上記レンズ枠に保持されたレンズの上記レンズ基準面に当接する複数の位置基準面を有すること；を特徴とする。
【０００８】
上記鏡筒の複数の上記位置基準面の間には、上記レンズ枠の上記レンズ受け部を収容する凹部が形成するのが実際的である。
【０００９】
上記レンズ枠は、その一実施形態では、上記筒状部に挿入された上記レンズを、上記位置規制面と上記筒状部のレンズ挿入側端部に形成された熱かしめ部との間に保持している。
【００１０】
上記鏡筒は、該鏡筒に挿入された上記レンズ枠に保持されたレンズの上記レンズ基準面が上記位置基準面に当接した状態で上記レンズ及びレンズ枠を光軸直交方向に移動自在に遊嵌する遊嵌筒部を有することが好ましい。
【００１１】
上記鏡筒には、該鏡筒に挿入された上記レンズ枠を保持するための調芯用凹部と、上記レンズ枠を上記鏡筒に接着するための接着剤用凹部を形成するのが望ましい。
【００１２】
上記鏡筒は、上記レンズ挿入側とは反対側から挿入された上記レンズ枠のレンズとは異なるレンズを保持する保持筒部を有することが実際的である。
【００１３】
上記レンズ枠の上記レンズ受け部は、上記少なくとも１枚のレンズの像側の面に当接する。
【００１４】
上記少なくとも１枚のレンズは、具体的には、最も物体側のレンズである。
【発明の効果】
【００１５】
本発明のレンズ支持構造によれば、作業者がレンズに直接触れる可能性が低く、かつ位置精度（調整精度）を高めることができる。
【図面の簡単な説明】
【００１６】
【図１】本発明によるレンズ支持構造の一実施形態を示す分解斜視図である。
【図２】図１とは反対方向から見た分解斜視図である。
【図３】（Ａ）は鏡筒の正面図、（Ｂ）はレンズ枠の正面図である。
【図４】図３（Ａ）のIV-IV線に沿う断面図である。
【図５】（Ａ）は本発明のレンズ枠のかしめ態様を示し、（Ｂ）は従来のレンズ枠のかしめ態様を示す、図４に対応する断面図である。
【発明を実施するための形態】
【００１７】
以下、添付図面を参照しながら本発明の一実施形態を説明する。本実施形態は、第１レンズ（最も物体側のレンズ、前玉単レンズ）Ｌ１を１群レンズ枠２０に固定した後、調芯して鏡筒１０に固定する実施形態である。図示されている要素は、第１レンズＬ１、鏡筒１０、１群レンズ枠２０、及び第２レンズＬ２だけである。以下、第１レンズＬ１（第２レンズＬ２）の光軸Ｏを基準に前方、後方を定義する。
【００１８】
第１レンズＬ１は、図４に明らかなように、前面に曲率半径の大きい（曲率の小さい）凸面ａを有し、後面に曲率半径の小さい（曲率の大きい）凹面ｂを有する正面円形の負メニスカスレンズであり、外周には、前側の大径柱状面ｃと後側の小径柱状面ｄを有している。大径柱状面ｃと小径柱状面ｄは、光軸Ｏを中心とする円柱形状の外周面（円柱面）である。大径柱状面ｃと小径柱状面ｄとの間には、両柱状面ｃ、ｄ（光軸Ｏ）と直交するレンズ基準面（光軸直交面）ｓが形成されている。凸面ａと大径柱状面ｃとの交差部には、面取りｆが施されている。
【００１９】
１群レンズ枠２０は、樹脂材料の成形品からなる環状部材であり、第１レンズＬ１の大径柱状面ｃに対応する内円筒面２１を有する筒状部２２と、この筒状部２２から径方向外方に突出するフランジ部２３と、筒状部２２の後端部（レンズ挿入側とは反対側端部）に円周方向に１２０゜等配で径方向内方に突出させた３個のレンズ受け部２４とを有している。レンズ受け部２４の前面（レンズ挿入側の面）は、第１レンズＬ１のレンズ基準面ｓと当接して、１群レンズ枠２０と第１レンズＬ１との光軸方向の位置を定める位置規制面２４ａを構成する。図３（Ｂ）では、この位置規制面２４ａにハッチングを付した。筒状部２２の前端部（レンズ挿入側端部）は、第１レンズＬ１を挿入する前には、図４に鎖線で示すように単純円筒形状であるが、同図に実線で示すように、第１レンズＬ１の面取りｆに沿って曲折される（かしめられる、熱かしめされる）と、かしめ部２２ａを構成する。
【００２０】
鏡筒１０は、大円筒部１１を有し、大円筒部１１の後部外周面に複数の直進案内突起１２が周方向に間隔を空けて突出形成されている（図３（Ａ）参照）。鏡筒１０（大円筒部１１）の前端部には、その径方向内方にレンズ支持フランジ１３が形成されている。このレンズ支持フランジ１３は、第１レンズＬ１を保持した１群レンズ枠２０及び第２レンズＬ２を保持するもので、内径側から順に、第２レンズＬ２を保持する保持筒部１３ａ、第１レンズＬ１の小径柱状面ｄを遊嵌させる遊嵌筒部１３ｂ、１群レンズ枠２０の筒状部２２を遊嵌させる遊嵌筒部１３ｃが断面階段状に形成されている（図４）。
【００２１】
保持筒部１３ａの前端部には、径方向内方への位置規制フランジ１３ａ１が形成されており、この位置規制フランジ１３ａ１と第２レンズＬ２の前端外周段部ｇとが当接して、第２レンズＬ２の光軸方向位置が決定される。
【００２２】
遊嵌筒部１３ｂと１３ｃは、径方向の接続壁１４によって接続されており、この接続壁１４の前面に、周方向に１２０゜等配で、３個の位置基準面１４ａと逃げ凹部１４ｂが交互に形成されている。図３（Ａ）では、この位置基準面１４ａにハッチングを付した。逃げ凹部１４ｂは、１群レンズ枠２０のレンズ受け部２４が非接触で位置する（挿入される、収容する）部分であり、位置基準面１４ａは、１群レンズ枠２０に保持された第１レンズＬ１の基準面（光軸直交面）ｓが当接する部分である。
【００２３】
鏡筒１０には、遊嵌筒部１３ｃの外周側に、環状の１群レンズ枠２０のフランジ部２３と対向する支持面１５が形成されている。この支持面１５は、内周側の光軸直交面１５ａと、外周側の光軸直交面１５ｂと、この光軸直交面１５ａと光軸直交面１５ｂを結ぶ、外周ほど前方に突出する一部円錐内面１５ｃとを有している。１群レンズ枠２０のフランジ部２３には、この鏡筒１０の内周側の光軸直交面１５ａ、外周側の光軸直交面１５ｂ及び一部円錐内面１５ｃに対応する内周側の光軸直交面２３ａ、外周側の光軸直交面２３ｂ、及び光軸直交面２３ａと光軸直交面２３ｂを結ぶ、外周ほど前方に突出する一部円錐面２３ｃが形成されている。
【００２４】
また、鏡筒１０のレンズ支持フランジ１３には、一部円錐内面１５ｃの外周側に位置させて、円周方向に９０゜等配で、各４個の調芯用凹部１６と接着剤用凹部１７が交互に形成されている。
【００２５】
上記構成の本レンズ支持構造は、次のように第１レンズＬ１を１群レンズ枠２０に固定した後、１群レンズ枠２０を鏡筒１０に位置決め（調芯）して固定する。すなわち、第１レンズＬ１を１群レンズ枠２０の内円筒面２１（筒状部２２）に前方から挿入し、第１レンズＬ１のレンズ基準面ｓをレンズ受け部２４の位置規制面２４ａに当接させる。この状態で、筒状部２２の前端部を熱かしめする。
【００２６】
かしめが終了すれば、作業者は、第１レンズＬ１に触れることなく、１群レンズ枠２０を扱うことができるので、第１レンズＬ１を傷つける虞れが減り、作業が容易になる。
【００２７】
第１レンズＬ１が固定された１群レンズ枠２０は、次に鏡筒１０の遊嵌筒部１３ｂと１３ｃに挿入される。このとき、レンズ受け部２４は逃げ凹部１４ｂに位置合わせされる。この状態では、鏡筒１０の遊嵌筒部１３ｂと第１レンズＬ１の小径柱状面ｄは遊嵌し、鏡筒１０の遊嵌筒部１３ｃと１群レンズ枠２０の筒状部２２は遊嵌し、１群レンズ枠２０のレンズ受け部２４は鏡筒１０の逃げ凹部１４ｂに遊嵌する（収容される）ので、１群レンズ枠２０（第１レンズＬ１）は径方向に自由に移動できる。一方、第１レンズＬ１はレンズ基準面ｓが位置基準面１４ａに当接するので、光軸方向位置と面倒れ（光軸の傾き）が規制される。
【００２８】
第１レンズＬ１のレンズ基準面ｓを位置基準面１４ａに当接させたまま、鏡筒１０の調芯用凹部１６に挿入した調芯治具により１群レンズ枠２０を保持し、１群レンズ枠２０を光軸直交面内で移動させる（調芯する）。調芯完了後、接着剤用凹部１７に接着剤を入れて鏡筒１０（レンズ支持フランジ１３）と１群レンズ枠２０（第１レンズＬ１）を固定する。
【００２９】
このように、第１レンズＬ１は、前面（凸面ａ）より後方のレンズ基準面ｓが鏡筒１０の位置基準面１４ａに当て付けられて光軸方向の位置決め及び光軸Ｏの傾きが決まるので、正確で精度の高い光軸方向位置決めと調芯が可能になり、面倒れを高精度に防止することができる。
【００３０】
また、本実施形態では、第１レンズＬ１は、レンズ基準面ｓが１群レンズ枠２０の位置規制面２４ａに当て付けられた状態で筒状部２２の前端部を面取りｆに沿って熱かしめすることで、１群レンズ枠２０に固定されている。このため、かしめ部２２ａが第１レンズＬ１の前面（凸面ａ）の周縁部と接触する径方向幅が狭く、厚さが薄くても第１レンズＬ１を１群レンズ枠２０に保持する十分な強度が得られる。かしめ部２２ａの径方向幅が狭く、薄いので、第１レンズＬ１の前面（凸面ａ）の最周縁まで光学有効面として使用可能になり、第１レンズＬ１の外径を大きくしなくても、最大径に対して有効径が大きいレンズが得られる。図５（Ｂ）は、筒状部２２’の前端部に内方フランジ２２ｆを形成し、この内方フランジ２２ｆの第１レンズＬ１側の内周エッジを該第１レンズＬ１のレンズ面（前面）に当接させた従来例（特許文献２）を示している。この従来例では、内方フランジ２２ｆが光線を遮るので、図５（Ａ）に示した本実施形態の第１レンズＬ１と同じ有効径を得ようとすると、レンズ径が大きくなってしまう（本実施形態によれば、同じ有効径を小径のレンズで得ることができる）。
【００３１】
第１レンズＬ１を挿入する前の１群レンズ枠２０の筒状部２２は単純円筒形状としたが、外周面を先細（テーパ）形状とすれば、かしめ作業が容易になり、かしめ部の内周縁部の光軸方向の厚さが薄くなり、より広角の入射光がかしめ部でけられなくなる。
【００３２】
第２レンズＬ２は、保持筒部１３ａに後方から挿入する。第２レンズＬ２の前端外周段部ｇが位置規制フランジ１３ａ１に当接して、第２レンズＬ２の光軸方向位置と傾きが決定される。第２レンズＬ２はその円柱状面が保持筒部１３ａの内周面に接触して光軸直交方向の位置が決定される。この状態で、保持筒部１３ａに形成された接着剤用凹部（図示せず）に接着剤を入れて、鏡筒１０（保持筒部１３ａ）と第２レンズＬ２を固定する。この第２レンズＬ２の保持筒部１３ａへの固定は、１群レンズ枠２０を鏡筒１０に固定する前に行うことが好ましい。
【００３３】
以上の実施形態では、１群レンズ枠２０の筒状部２２（内円筒面２１）内に単レンズを支持したが、スペーサを挟んで複数のレンズを支持する態様にも本発明は適用可能である。
【符号の説明】
【００３４】
１０  鏡筒
１１  大円筒部
１２  直進案内突起
１３  レンズ支持フランジ
１３ａ  保持筒部
１３ａ１  位置規制フランジ
１３ｂ  １３ｃ  遊嵌筒部
１４  接続壁
１４ａ  位置基準面
１４ｂ  逃げ凹部（凹部）
１５  支持面
１５ａ  １５ｂ  光軸直交面
１５ｃ  一部円錐内面
１６  調芯用凹部
１７  接着剤用凹部
２０  １群レンズ枠（レンズ枠）
２１  内円筒面
２２  筒状部
２２ａ  かしめ部（熱かしめ部）
２３  フランジ部
２３ａ  ２３ｂ  光軸直交面
２３ｃ  一部円錐面
２４  レンズ受け部
２４ａ  位置規制面
Ｌ１  第１レンズ（レンズ）
ｓ  レンズ基準面
【図１】
2017173744.tif 000003
【図２】
2017173744.tif 000004
【図３】
2017173744.tif 000005
【図４】
2017173744.tif 000006
【図５】
2017173744.tif 000007